(57)【要約】【課題】  自動車用音響装置を利用して特定形式の音楽を放送できる携帯装置の提供。【解決手段】  本考案は自動車内でＦＭ放送を聴く時、該携帯装置を利用して電磁信号を発射して自動車用ＦＭ受信器のある特定周波数に対して遮蔽を行ない、並びに該特定周波数に該携帯装置の放送する特定形式の音楽を放送させる。該携帯装置は音楽形式ファイルを電磁信号に変換し該電磁信号を信号変調メカニズムを通して外界に発射する電磁信号発射装置と、外界音源を受け取り並びに電磁信号発射装置と電気的に接続される音源入力孔と、特定音楽形式デコード機能を具えたＭＰ３デコーダと、音楽のソースが特定音楽形式であるかを判断し特定音楽形式であれば該電磁信号発射装置に出力し、特定音楽形式でなければそれを放送させない音楽形式識別システムと、コンピュータ保存装置のＵＳＢポートに接続されるＵＳＢポートと、を具えている。【選択図】        図２
0003103655.tif 000002
【実用新案登録請求の範囲】
【請求項１】
自動車内でＦＭ放送を聴く時、該携帯装置を利用して電磁信号を発射して自動車用ＦＭ受信器のある特定周波数に対して遮蔽を行ない、並びに該特定周波数に該携帯装置の放送する特定形式の音楽を放送させる自動車用音響装置を利用して特定形式の音楽を放送できる携帯装置であり、該携帯装置は、
音楽形式ファイルを電磁信号に変換し該電磁信号を信号変調メカニズムを通して外界に発射する電磁信号発射装置と、
外界音源を受け取り並びに電磁信号発射装置と電気的に接続される音源入力孔と、
特定音楽形式デコード機能を具えたＭＰ３デコーダと、
音楽のソースが特定音楽形式であるかを判断し特定音楽形式であれば該電磁信号発射装置に出力し、特定音楽形式でなければそれを放送させない音楽形式識別システムと、
コンピュータ保存装置のＵＳＢポートに接続されるＵＳＢポートと、
を具えたことを特徴とする、自動車用音響装置を利用して特定形式の音楽を放送できる携帯装置。
【請求項２】
請求項１記載の自動車用音響装置を利用して特定形式の音楽を放送できる携帯装置において、携帯装置の外部に表示パネルが設けられ、該表示パネルは液晶ディスプレイパネルとされて電源及びマイクロプロセッサに電気的に接続されて作動することを特徴とする、自動車用音響装置を利用して特定形式の音楽を放送できる携帯装置。
【請求項３】
請求項１記載の自動車用音響装置を利用して特定形式の音楽を放送できる携帯装置において、音楽ファイルがＭＰ３形式音楽ファイルとされたことを特徴とする、自動車用音響装置を利用して特定形式の音楽を放送できる携帯装置。
【請求項４】
請求項１記載の自動車用音響装置を利用して特定形式の音楽を放送できる携帯装置において、電磁信号がＲＦ信号とされたことを特徴とする、自動車用音響装置を利用して特定形式の音楽を放送できる携帯装置。
【請求項５】
請求項１記載の自動車用音響装置を利用して特定形式の音楽を放送できる携帯装置において、携帯装置とコンピュータの接続インタフェースがＵＳＢインタフェースとされたことを特徴とする、自動車用音響装置を利用して特定形式の音楽を放送できる携帯装置。
【請求項６】
請求項１記載の自動車用音響装置を利用して特定形式の音楽を放送できる携帯装置において、携帯装置がＦＭ受信可能なラジオ、音響装置、コンピュータ、ＰＤＡ及び携帯電話のいずれかの電子装置により携帯装置の特定形式音楽を放送させることを特徴とする、自動車用音響装置を利用して特定形式の音楽を放送できる携帯装置。
【請求項７】
請求項１記載の自動車用音響装置を利用して特定形式の音楽を放送できる携帯装置において、ＵＳＢポートに接続されるコンピュータ保存装置が携帯型ディスクドライブ装置とされたことを特徴とする、自動車用音響装置を利用して特定形式の音楽を放送できる携帯装置。
【請求項８】
請求項１記載の自動車用音響装置を利用して特定形式の音楽を放送できる携帯装置において、ＵＳＢポートに接続されるコンピュータ保存装置がカードリーダーとメモリカードとされたことを特徴とする、自動車用音響装置を利用して特定形式の音楽を放送できる携帯装置。
【考案の詳細な説明】
【技術分野】
【０００１】
本考案は自動車用音響装置を利用して特定形式の音楽を放送できる携帯装置に係り、特に、自動車内部でＦＭ放送を聴く時、ＭＰ３音楽を放送できる携帯装置を利用し、該携帯装置の外部に表示パネルが設けられ、その放送時に、電磁波を発射し、自動車用ＦＭ受信器のある特定周波数を遮蔽し、並びに該特定周波数で自動車用音響装置に該携帯装置の放送するＭＰ３音楽を放送させる、自動車用音響装置を利用して特定形式の音楽を放送できる携帯装置に関する。
【背景技術】
【０００２】
電子産業が進歩し、集積回路には不断に新しい機能が整合され、また体積が縮小され、、これにより多機能を整合させた電子製品が不断に売り出され、消費者の常に新しきを求める心理に迎合している。そのうち、ＭＰ３形式の音楽を放送できる電子製品も次々と発売されている。このＭＰ３はファイルを極めて小さく圧縮した音楽形式であり、伝統的なＣＤプレイヤーに採用されている形式（ＣＤＡ）の未圧縮音楽形式と比較すると、メモリ空間はＣＤＡの数分の１から十数分の１に過ぎず、且つ圧縮解凍後に放送される音質は伝統的なＣＤプレイヤーで放送する音質とあまり差がない。このため一般にＣＤプレイヤー、ＶＣＤ或いはＤＶＤプレイヤー、コンピュータ、ＰＤＡ及びフラッシュメモリ放送装置は、いずれもＭＰ３形式を放送できる音楽形式として格納している。
【０００３】
携帯の便利性と軽量化を考慮するなら、市場に出回っている携帯式のフラッシュメモリドライブ装置が最も好ましく、それは平均重量が３０から５０グラム内であり、そのメモリ容量は６４ＭＢから５１２ＭＢの間であり、各ＭＰ３楽曲に使用されるメモリ空間は４ＭＢから６ＭＢであることから、市販されている容量が最も小さい６４ＭＢの携帯型ドライブ装置であっても少なくとも１０から１６曲を保存できる。その容量は音楽用ＣＤに等しく、このためＭＰ３形式を放送できる携帯型ディスクドライブ装置は音楽を放送する電子製品の流れを大きく変えるものである。
【０００４】
市販されている一般の携帯型ディスクドライブ装置は市場の要求に応じて多種類の機能を一体化しており、最もよく見られる機能は、コンピュータデータの保存、録音、ＭＰ３放送及びＦＭ放送である。これによりほぼ消費者の要求を満足させることができる。
【考案の開示】
【考案が解決しようとする課題】
【０００５】
本考案はＭＰ３を放送可能な携帯型ディスクドライブ装置に新たな機能を加え、自動車内にＣＤプレイヤーが未設置である場合に応用できるようにし、その自動車用音響装置を利用してＭＰ３形式の音楽を放送できるようにし、且つ本考案の装置は音楽放送時に、ＣＤプレイヤーとは異なり、自動車用走行中の振動により音楽の中断や音楽の不正常な音跳びの問題を発生しないようにする。
【０００６】
即ち、本考案は一種の自動車用音響装置を利用して特定形式の音楽を放送できる携帯装置を提供することを目的とし、それは、自動車内部でＦＭ放送を聴く時、該携帯装置を利用して電磁信号を発射して自動車用ＦＭ受信器のある特定周波数に対して遮蔽を行ない、並びに該特定周波数に該携帯装置の放送するＭＰ３形式の音楽を放送させ、これにより自動車用音響装置を利用してＭＰ３形式の音楽を放送する目的を達成すると共に、伝統的なＣＤプレイヤーが自動車用振動により放送に不正常な現象を発生する問題を解決するものとする。
【０００７】
本考案の別の目的は、一種の自動車用音響装置を利用して特定形式の音楽を放送できる携帯装置を提供することにあり、該携帯装置は多機能、即ちコンピュータデータの保存、録音、ＭＰ３放送、カードリーダー及びＦＭ／ＡＭ放送受信の機能が整合され、一般に市販されている携帯型ディスクドライブ装置と同等か或いはそれ以上の機能を達成するものとする。
【０００８】
本考案のさらに別の目的は、一種の自動車用音響装置を利用して特定形式の音楽を放送できる携帯装置を提供することにあり、それは、放送時に電磁波を発射し、ＦＭのある特定周波数に対して遮蔽し、一般のＦＭ受信できるラジオ、音響装置、コンピュータ、ＰＤＡ及び携帯電話等の電子装置により携帯装置の特定形式の音楽を放送できるようにするものとする。
【課題を解決するための手段】
【０００９】
請求項１の考案は、自動車内でＦＭ放送を聴く時、該携帯装置を利用して電磁信号を発射して自動車用ＦＭ受信器のある特定周波数に対して遮蔽を行ない、並びに該特定周波数に該携帯装置の放送する特定形式の音楽を放送させる自動車用音響装置を利用して特定形式の音楽を放送できる携帯装置であり、該携帯装置は、
音楽形式ファイルを電磁信号に変換し該電磁信号を信号変調メカニズムを通して外界に発射する電磁信号発射装置と、
外界音源を受け取り並びに電磁信号発射装置と電気的に接続される音源入力孔と、
特定音楽形式デコード機能を具えたＭＰ３デコーダと、
音楽のソースが特定音楽形式であるかを判断し特定音楽形式であれば該電磁信号発射装置に出力し、特定音楽形式でなければそれを放送させない音楽形式識別システムと、
コンピュータ保存装置のＵＳＢポートに接続されるＵＳＢポートと、
を具えたことを特徴とする、自動車用音響装置を利用して特定形式の音楽を放送できる携帯装置としている。
請求項２の考案は、請求項１記載の自動車用音響装置を利用して特定形式の音楽を放送できる携帯装置において、携帯装置の外部に表示パネルが設けられ、該表示パネルは液晶ディスプレイパネルとされて電源及びマイクロプロセッサに電気的に接続されて作動することを特徴とする、自動車用音響装置を利用して特定形式の音楽を放送できる携帯装置としている。
請求項３の考案は、請求項１記載の自動車用音響装置を利用して特定形式の音楽を放送できる携帯装置において、音楽ファイルがＭＰ３形式音楽ファイルとされたことを特徴とする、自動車用音響装置を利用して特定形式の音楽を放送できる携帯装置としている。
請求項４の考案は、請求項１記載の自動車用音響装置を利用して特定形式の音楽を放送できる携帯装置において、電磁信号がＲＦ信号とされたことを特徴とする、自動車用音響装置を利用して特定形式の音楽を放送できる携帯装置としている。
請求項５の考案は、請求項１記載の自動車用音響装置を利用して特定形式の音楽を放送できる携帯装置において、携帯装置とコンピュータの接続インタフェースがＵＳＢインタフェースとされたことを特徴とする、自動車用音響装置を利用して特定形式の音楽を放送できる携帯装置としている。
請求項６の考案は、請求項１記載の自動車用音響装置を利用して特定形式の音楽を放送できる携帯装置において、携帯装置がＦＭ受信可能なラジオ、音響装置、コンピュータ、ＰＤＡ及び携帯電話のいずれかの電子装置により携帯装置の特定形式音楽を放送させることを特徴とする、自動車用音響装置を利用して特定形式の音楽を放送できる携帯装置としている。
請求項７の考案は、請求項１記載の自動車用音響装置を利用して特定形式の音楽を放送できる携帯装置において、ＵＳＢポートに接続されるコンピュータ保存装置が携帯型ディスクドライブ装置とされたことを特徴とする、自動車用音響装置を利用して特定形式の音楽を放送できる携帯装置としている。
請求項８の考案は、請求項１記載の自動車用音響装置を利用して特定形式の音楽を放送できる携帯装置において、ＵＳＢポートに接続されるコンピュータ保存装置がカードリーダーとメモリカードとされたことを特徴とする、自動車用音響装置を利用して特定形式の音楽を放送できる携帯装置としている。
【考案の効果】
【００１０】
本考案の一般の周知の技術との最大の違いは、本考案の携帯装置内に設置された電磁信号発射装置が音楽形式ファイルを電磁信号に変換し、この電磁信号を信号変調メカニズムを通して外界に発射し、自動車用ＦＭ受信器のある特定の周波数に対して遮蔽を行ない、並びに該特定周波数で該携帯装置の放送する特定形式の音楽を放送させ、これにより一般の自動車内にＣＤプレイヤーが設置されてない場合に応用されると、ＣＤプレイヤーの代わりとすることができ、使用者に新たに自動車内にＣＤプレイヤーを組み付ける費用を節約させる目的を達成し、ゆえに本考案は確実に商業価値を有する。
【００１１】
本考案の携帯装置は上述の自動車用ＦＭ受信器と組み合わされるほか、一般のＦＭ受信できるラジオ、音響装置、コンピュータ、ＰＤＡ及び携帯電話等の電子装置と組み合わされて、携帯装置の特定形式音楽（ＭＰ３）を放送させることができる。
【００１２】
ゆえに本考案は実用性と進歩性及び産業上の利用価値を有する考案であり、実用新案登録の要件を具備している。
【考案を実施するための最良の形態】
【００１３】
図１は本考案の好ましい実施例を示し、そのうち自動車内部でＦＭ放送を聴く時、ＭＰ３音楽を放送でき外部に表示パネル４が設けられた携帯装置３を利用し、該携帯装置が放送動作を行なう時に、同時に電磁波を発射するよう設定することで、自動車用ＦＭ受信器１のある特定周波数に対して遮蔽を行ない、並びにこの特定周波数で自動車用音響装置２を通して携帯装置３の放送するＭＰ３音楽を放送できる。ゆえに伝統的なＣＤプレイヤーにおけるレーザーヘッドで読み書きするために車の振動により放送が不正常となる現象を発生せず、一般の自動車内にＣＤプレイヤーが設置されていない場合に応用すれば、自動車用ＣＤプレイヤーの変わりとなすことができる。
【００１４】
上記表示パネル４は液晶ディスプレイとされ、電源及びマイクロプロセッサに電気的に接続されて作動する。
【００１５】
図２は本考案の携帯装置内部の機能ブロック図であり、そのうち携帯装置３は、以下の構成要件を具えている。即ち、
音楽形式ファイルを電磁信号に変換し該電磁信号を信号変調メカニズムを通して外界に発射する電磁信号発射装置３１、
外界音源を受け取り並びに電磁信号発射装置３１と電気的に接続される音源入力孔３６、
特定音楽形式デコード機能を具えたＭＰ３デコーダ３２、
音楽のソースが特定音楽形式であるかを判断し特定音楽形式であれば該電磁信号発射装置３１に出力し、特定音楽形式でなければそれを放送させない音楽形式識別システム３３、
コンピュータ保存装置の対応するＵＳＢポートに接続されるＵＳＢポート３４。
【００１６】
以上の構成要件間の動作原理は後で説明する。このＭＰ３携帯装置３は、電磁信号発射装置３１、ＭＰ３デコーダ３２、埋め込み式音楽形式識別システム３３、及び少なくとも一つのＵＳＢポート３４を具え、且つ携帯装置３の適当な部分に音源入力孔３５が設けられ、該音源入力孔３５と電磁信号発射装置３１の間には電気的接続があり、音源装置５（例えばＭＰ３プレイヤー）はＭＰ３携帯装置３の音源入力孔３５に接続され、ＭＰ３音楽を該電磁信号発射装置３１を通して電磁信号として自動車用音響装置２に発射し、自動車用ＦＭ受信器のある特定周波数に対して遮蔽を行ない、並びに該特定周波数で該携帯装置３の放送するＭＰ３音楽を放送させ、これにより自動車用音響装置でＭＰ３音楽を放送する目的を達成し、また伝統的なＣＤプレイヤーが車の振動により不正常な音楽放送を形成する現象を発生しない。
【００１７】
本考案のもう一つの応用方式によると、携帯型ディスクドライブ装置６或いはカードリーダー７がＭＰ３携帯装置３のＵＳＢポート３４に接続され、該携帯装置３は音楽形式識別システム３３により携帯型ディスクドライブ装置６或いはカードリーダー７内のメモリカード７１のＭＰ３形式データを読み取り、並びにＭＰ３デコーダ３２でデコードし、アナログ形式の音楽を出力する。このアナログ形式の音楽はさらに電磁信号発射装置３１により自動車用音響装置２に発射されて前述した機能を発生する。
【図面の簡単な説明】
【００１８】
【図１】本考案の好ましい実施例図である。
【図２】本考案の携帯装置内部の機能ブロック図である。
【符号の説明】
【００１９】
１  自動車用ＦＭ受信器
２  自動車用音響装置
３  携帯装置
３１  電磁信号発射装置
３２  ＭＰ３デコーダ
３３  音楽形式識別システム
３４  ＵＳＢポート
３５  音源入力孔
４  表示パネル
５  音源装置
６  携帯型ディスクドライブ装置
７  カードリーダー
７１  メモリカード
【図１】
0003103655.tif 000003
【図２】
0003103655.tif 000004